(57)【要約】【課題】  熱按摩灸桶の提供。【解決手段】  吸熱球１１とドラム状のケース１２、１２ａ、１２ｂを具え、  該吸熱球１１は加熱により該吸熱球１１の熱を内部に保存し、  該ケース１２、１２ａ、１２ｂは、主体１２４と一端の回転カバー１２５を具えて該吸熱球１１の外周を被覆し、該ケース１２、１２ａ、１２ｂが吸熱球１１をその内部で自由に活動させ、該ケース１２、１２ａ、１２ｂに少なくとも一つの第１開口１２１と第２開口１２２が設けられ、該第１開口１２１の口径が該吸熱球１１の最大外径より小さく、吸熱球１１の一部のみを外部に露出させ、該第２開口１２２の内縁にストッパ部１２３が設けられて、該ストッパ部１２３により吸熱球１１が吸熱球１１が第２開口１２２より外部に露出せず且つ脱出しないように形成された。【選択図】        図２
0003103686.tif 000002
【実用新案登録請求の範囲】
【請求項１】
吸熱球（１１）とドラム状のケース（１２、１２ａ、１２ｂ）を具え、
該吸熱球（１１）は加熱により該吸熱球（１１）の熱を内部に保存し、
該ケース（１２、１２ａ、１２ｂ）は、主体（１２４）と一端の回転カバー（１２５）を具えて該吸熱球（１１）の外周を被覆し、該ケース（１２、１２ａ、１２ｂ）が吸熱球（１１）をその内部で自由に活動させ、該ケース（１２、１２ａ、１２ｂ）に少なくとも一つの第１開口（１２１）と第２開口（１２２）が設けられ、該第１開口（１２１）の口径が該吸熱球（１１）の最大外径より小さく、吸熱球（１１）の一部のみを外部に露出させ、該第２開口（１２２）の内縁にストッパ部（１２３）が設けられて、該ストッパ部（１２３）により吸熱球（１１）が吸熱球（１１）が第２開口（１２２）より外部に露出せず且つ脱出しないように形成されたことを特徴とする、熱按摩灸桶。
【請求項２】
請求項１記載の熱按摩灸桶において、吸熱球（１１）が吸熱と保温の機能を具えた材料で形成されたことを特徴とする、熱按摩灸桶。
【請求項３】
請求項１記載の熱按摩灸桶において、ケース（１２、１２ａ、１２ｂ）の形状が球状とされたことを特徴とする、熱按摩灸桶。
【考案の詳細な説明】
【技術分野】
【０００１】
本考案は一種の熱按摩灸桶に係り、特に吸熱球の吸熱保温機能を利用し、熱敷、按摩及び温灸に応用される熱按摩灸桶に関する。
【背景技術】
【０００２】
現代人は緊張し忙しい生活の中で、疲労した心身と大きなストレスを抱えており、急速により身体の忍耐度を調整する必要がある。しかし、作業時間に追われて現代人は休息をとりにくく、このため過度の作業時間と作業量により多くの人に現代病、例えば心臓病や高血圧等が形成される。現代は医療が進歩したとはいえ、これらの病気は日増しに増加する傾向にある。
【０００３】
ストレスは前述の病症の主要な原因であり、ストレスは現代人の生活にゆとりがなく、仕事に追われることにより発生する。現代人は自分の休息時間を犠牲にして仕事をし、膨大な仕事量を背負うためにストレスが形成されるのである。このため現代人は心身をリラックスさせるため、レジャー活動や養生用の器具、例えばマッサージチェア、マッサージボール、手動按摩器等を使用してストレスを緩和する工夫をしている。以下は市販の養生用器具の設計と応用に関する説明である。
１．マッサージチェアは、椅子を利用し、その外表を一層の皮革で被覆し、その内部に複数のローラを取り付け、ローラの回転により皮革外表に連続する凹凸面を現出させ、人体がマッサージチェアに座ることで、この連続する凹凸面により人体背部の筋肉をほぐし、血液循環を促進する効果を達成する。これにより人をリラックスさせ、ストレスを緩和することができる。しかしマッサージチェアはその価格が高く、一般の市民が購入するには負担が大きく、且つその設計は膨大で、一般家庭ではマッサージチェアは場所をとりすぎるため、実用性が高くない。
２．マッサージボールはその表面には多くの突起物が配設され、マッサージボールは人体の皮膚表面に接触させ並びに転がして皮膚に圧力をかける方式で按摩の機能を達成する。手動按摩器の原理とマッサージボールは類似し、複数のローラとローラに接続された補助棒を利用し、組み合わせて手動按摩器が形成され、ローラの表面に凹凸の連続面が形成され、ローラを人体の皮膚表面に接触させて転がすことで、皮膚に対する加圧按摩の機能を実行する。この両者の按摩器はいずれも使用者が自分で操作しなければならず、構造が簡単で、価格も安いが、その按摩効果は理想的でない。
３．薫臍器は灸の一種類であり、漢方外治法に属する。晉朝醫書の＜肘後備急方＞にこの療法が記載され、漢方薬で臍のツボに対して填、敷、貼、灸、熨、薫、洗、蒸を行ない、疾病を防止する。巷に伝わる「薫臍療法」は脂肪を排出する痩身効果、精力回復と養生保健の効果を有する。ただし、腹部の皮膚を火傷する事故も多く起こっている。薫臍器の使用法は、患者を仰向けに横たえ、腹部を露出させ、臍の窪みに漢方薬粉末を置き、特製調製油を垂らし、一層のガーゼ或いは綿布で被覆し、続いて治療者が艾に点火し、マッシュルーム型の木製の薫臍器を臍部に置き、数十分から一時間灸をする、というものである。しかし、一般の人々が家庭で不当な操作をしたり、灸中に眠り込んでしまうために、腹部の皮膚に火傷を負う事故が多々発生しているのである。このために腹部に炎症を起こしたり、水泡を発生させ、且つ薫臍は臍周囲に対してのみ効果があり、効果は全身に及ぶものではない。薫臍には潜在的な危険があることを鑑み、本考案者は一種の熱按摩灸桶を提供し、前述の欠点を改善するものである。
【０００４】
以上、いくつかの従来の技術を提示したが、特に使用者が自力で操作できるもの、いわゆる手動按摩器は、ほとんどがその外形の設計及び人体に対する加圧の方式を利用して按摩を行なうものであり、即ち特殊材料例えば遠赤外線を発生する鉱物或いは合成材料を加えても、本考案の熱を利用して温熱按摩を行なう効果は直接には得られない。
【考案の開示】
【考案が解決しようとする課題】
【０００５】
本考案の目的は、一種の熱按摩機能を提供できる按摩器を提供することにあり、それは、按摩器内に吸熱可能な物体を設置し、これにより按摩器操作時に必要な熱量を提供し、それを熱敷、按摩及び温灸に応用できるようにし、疲労緩和の機能を達成できるようにしたものとする。
【課題を解決するための手段】
【０００６】
請求項１の考案は、吸熱球（１１）とドラム状のケース（１２、１２ａ、１２ｂ）を具え、
該吸熱球（１１）は加熱により該吸熱球（１１）の熱を内部に保存し、
該ケース（１２、１２ａ、１２ｂ）は、主体（１２４）と一端の回転カバー（１２５）を具えて該吸熱球（１１）の外周を被覆し、該ケース（１２、１２ａ、１２ｂ）が吸熱球（１１）をその内部で自由に活動させ、該ケース（１２、１２ａ、１２ｂ）に少なくとも一つの第１開口（１２１）と第２開口（１２２）が設けられ、該第１開口（１２１）の口径が該吸熱球（１１）の最大外径より小さく、吸熱球（１１）の一部のみを外部に露出させ、該第２開口（１２２）の内縁にストッパ部（１２３）が設けられて、該ストッパ部（１２３）により吸熱球（１１）が吸熱球（１１）が第２開口（１２２）より外部に露出せず且つ脱出しないように形成されたことを特徴とする、熱按摩灸桶としている。
請求項２の考案は、請求項１記載の熱按摩灸桶において、吸熱球（１１）が吸熱と保温の機能を具えた材料で形成されたことを特徴とする、熱按摩灸桶としている。
請求項３の考案は、請求項１記載の熱按摩灸桶において、ケース（１２、１２ａ、１２ｂ）の形状が球状とされたことを特徴とする、熱按摩灸桶としている。
【考案の効果】
【０００７】
本考案の熱按摩灸桶は、吸熱球とケースを具え、該吸熱球は吸熱保温の機能を具え、ケースは吸熱球の内部で自由に活動し、両者の組合せ使用により、人体皮膚表面を転がすか或いは貼り付けて加圧按摩を行ない、これにより人体の筋肉や血行を活性化する効果を達成する。
【考案を実施するための最良の形態】
【０００８】
図１は本考案の実施例の外観図である。本考案は吸熱球１１とケース１２を具え、該吸熱球１１は吸熱材料（例えばセラミック）で形成されて保温の効果を有し、加熱により熱を吸熱球１１の内部に保存し、それに保温の効果を達成させて熱敷按摩に用いることができる。そのうち、二種類の吸熱並びに保温機能を具えた材料で吸熱球１１を製造することもできる。
【０００９】
該ケース１２は、吸熱球１１の外周を被覆し、且つ吸熱球１１をその内部で自由に活動させ、該ケース１２は第１開口１２１を少なくとも具え、該第１開口１２１の口径は吸熱球１１の最大外径より小さく、吸熱球１１の局部のみを外部に露出させ、吸熱球１１を人体皮膚表面で転がすことができるようにし、熱敷按摩の効果を提供する。別の好ましい実施方式によると、第２開口１２２が設けられ、通常は直接的に第２開口１２２の内縁にストッパ部１２３が形成され（図３）、吸熱球１１が第２開口１２２より外部の露出せず脱出しないものとされ、吸熱エネルギーを熱輻射等人体に不接触の方式で放出させて温灸の効果を提供する。
【００１０】
図２に示されるように、本考案は吸熱球１１を加熱して一定の熱を吸収させ、吸熱球１１をケース１２内部の収容空間に置き、並びに外向きに漸次縮小する円錐形の第１開口（１２１部分に移動させて、その局部の球面を露出させ、人体の皮膚表面上を転がして熱敷按摩の効果を達成できる。
【００１１】
さらに図３に示されるように、本考案は加熱して吸熱させた吸熱球１１を第２開口１２２部分に移動させ、ストッパ部１２３で吸熱球１１を押さえ、押さえた球面を完全に外部に露出させずに、第２開口１２２を人体皮膚表面の貼り付けて吸熱エネルギーを熱輻射等の人体に不接触の方式で放出させて温灸の効果を提供することができる。
【００１２】
図４に示されるのは本考案の別の実施例であり、ケース１２ａは主体１２４と回転カバー１２５を具え、この回転カバー１２５に雌ネジ１２７が設けられ、主体１２４の円形端口１２６に雄ネジ１２８が設けられ、雌ネジ１２７が時計回りに螺合され、並びに雄ネジ１２８と接合されている。この設計は吸熱球１１を任意に取り出すことができる。
【００１３】
図５は本考案のまた別の実施例であり、ケース１２ｂの形状が球形とされ、吸熱球１１の外周を被覆し、ケース１２ｂの表面に多くの突起物１２９が配設され、この実施例は加熱装置中に置かれて加熱され、吸熱球１１に保温させ、並びに熱エネルギーをケース１２ｂ表面に伝導させ、それを人体皮膚表面に転がすことで、熱敷按摩の効果を提供する。
【図面の簡単な説明】
【００１４】
【図１】本考案の外観図である。
【図２】本考案の第１応用例図である。
【図３】本考案の第２応用例図である。
【図４】本考案の第１実施例図である。
【図５】本考案の第２実施例図である。
【符号の説明】
【００１５】
１１  吸熱球
１２、１２ａ、１２ｂ  ケース
１２１  第１開口
１２２  第２開口
１２３  ストッパ部
１２４  主体
１２５  回転カバー
１２６  円形端口
１２７  雌ネジ
１２８  雄ネジ
１２９  突起物
【図１】
0003103686.tif 000003
【図２】
0003103686.tif 000004
【図３】
0003103686.tif 000005
【図４】
0003103686.tif 000006
【図５】
0003103686.tif 000007